(57)【特許請求の範囲】
【請求項１】
画像データを編集するための任意のアプリケーションの印刷画面にて選択可能な印刷ドライバであって、
メディアの記録面に書き込むためのデータを取得するデータ取得部と、
前記任意のアプリケーションにより生成された前記画像データに基づいて、前記メディアのレーベル面に印刷するための印刷データを生成する印刷データ生成部と、
前記メディアに対する書き込み処理および印刷処理を行うメディア処理装置に対して出力制御を行う出力制御部と、を備え、
前記出力制御部は、前記印刷画面に表示された印刷指示ボタンの押下をトリガーとして、前記データ取得部で取得したデータに基づく書き込みデータと前記印刷データ生成部で生成した前記印刷データとを関連付けて前記メディア処理装置に出力することを特徴とする印刷ドライバ。
【請求項２】
前記データ取得部は、１以上のコンテンツデータを取得するためのものであり、
所定のフォーマットに基づいて、取得した前記１以上のコンテンツデータを集約したイメージファイルを生成するイメージファイル生成部、をさらに備え、
前記出力制御部において、生成した前記イメージファイルを前記書き込みデータとして出力することを特徴とする請求項１に記載の印刷ドライバ。
【請求項３】
前記印刷ドライバは、印刷設定画面を表示させる機能を有し、
前記データ取得部は、前記印刷設定画面により選択された前記１以上のコンテンツデータを取得することを特徴とする請求項２に記載の印刷ドライバ。
【請求項４】
請求項１ないし３のいずれか１項に記載の印刷ドライバを備え、前記メディア処理装置と接続されて用いられることを特徴とする制御装置。
【請求項５】
画像データを編集するための任意のアプリケーションの印刷画面にて選択可能な印刷ドライバの印刷データ処理方法であって、
メディアの記録面に書き込むためのデータを取得するデータ取得ステップと、
前記任意のアプリケーションにより生成された前記画像データに基づいて、前記メディアのレーベル面に印刷するための印刷データを生成する印刷データ生成ステップと、
前記メディアに対する書き込み処理および印刷処理を行うメディア処理装置に対して出力制御を行う出力制御ステップと、を実行し、
前記出力制御ステップは、前記印刷画面に表示された印刷指示ボタンの押下をトリガーとして、前記データ取得ステップで取得したデータに基づく書き込みデータと前記印刷データ生成ステップで生成した前記印刷データとを関連付けて前記メディア処理装置に出力することを特徴とする印刷データ処理方法。
【請求項６】
前記データ取得ステップは、１以上のコンテンツデータを取得するためのものであり、
所定のフォーマットに基づいて、取得した前記１以上のコンテンツデータを集約したイメージファイルを生成するイメージファイル生成ステップ、をさらに実行し、
前記出力制御ステップにおいて、生成した前記イメージファイルを前記書き込みデータとして出力することを特徴とする請求項５に記載の印刷データ処理方法。
【請求項７】
前記印刷ドライバは、印刷設定画面を表示させる機能を有し、
前記データ取得ステップは、前記印刷設定画面により選択された前記１以上のコンテンツデータを取得することを特徴とする請求項６に記載の印刷データ処理方法。
【発明の詳細な説明】
【技術分野】
【０００１】
本発明は、メディアの記録面に書き込む書き込み処理と、メディアのレーベル面に印刷する印刷処理と、を行うメディア処理装置を制御するための印刷データ処理方法、印刷ドライバ、制御装置に関するものである。
【背景技術】
【０００２】
この種の技術として、メディア処理装置用の専用アプリケーションを制御装置にインストールしてメディアを発行するもの（以下、「メディア処理システム」という）が知られている（非特許文献１）。当該メディア処理装置は、この専用アプリケーションにより、書き込みデータおよびレーベル面の印刷データを編集し、さらに、制御装置の「発行」指示をトリガとして、メディア処理装置に書き込み処理および印刷処理を一連の動作で実行させる。
【先行技術文献】
【特許文献】
【０００３】
【非特許文献１】EPSON  PP100  ユーザーズガイド  P27〜80  http://dl.epson.jp/support/manual/data/discproducer/pp100/4112999_02.PDF
【発明の概要】
【発明が解決しようとする課題】
【０００４】
ところで、例えば業務用に発行されたメディアのレーベル面に印刷された画像は、広告機能およびメディアに記録されたコンテンツの説明機能等を果たすことから、レーベル面の画質（解像度や色調整等）を高めたいという要望がある。かかる場合、上記の専用アプリケーションよりも良質な画像データを生成することのできる画像作成用ソフトウェアによって、レーベル面に印刷する画像データを作成することが考えられる。
しかし、上記のメディア処理システムは、専用アプリケーション以外のソフトウェアで作成した印刷データをレーベル面に印刷したい場合、書き込み処理および印刷処理を一連の動作で実行させることができない。すなわち、制御装置が印刷指示を行うことによって印刷処理が実行され、制御装置が書き込み指示を行うことによって書き込み処理が実行される。よって、各処理を行うごとにユーザーは、処理を開始させるための操作（各種ボタンの押下やメディアのセットおよび取り出し等）を行わなければならず、メディアの発行に時間がかかるという問題がある。
【０００５】
本発明は、上記の点に鑑み、メディア処理装置に対応していない一般的なソフトウェアで作成したデータをレーベル面に印刷する印刷処理と書き込みデータの書き込み処理を一連の動作でメディア処理装置に実行させることのできる印刷データ処理方法、印刷ドライバ、制御装置を提供することを課題とする。
【課題を解決するための手段】
【０００６】
本発明の印刷ドライバは、画像データを編集するための任意のアプリケーションの印刷画面にて選択可能な印刷ドライバであって、メディアの記録面に書き込むためのデータを取得するデータ取得部と、任意のアプリケーションにより生成された画像データに基づいて、メディアのレーベル面に印刷するための印刷データを生成する印刷データ生成部と、メディアに対する書き込み処理および印刷処理を行うメディア処理装置に対して出力制御を行う出力制御部と、を備え、出力制御部は、印刷画面に表示された印刷指示ボタンの押下をトリガーとして、データ取得部で取得したデータに基づく書き込みデータと印刷データ生成部で生成した印刷データとを関連付けてメディア処理装置に出力することを特徴とする。
上記の印刷ドライバにおいて、データ取得部は、１以上のコンテンツデータを取得するためのものであり、所定のフォーマットに基づいて、取得した１以上のコンテンツデータを集約したイメージファイルを生成するイメージファイル生成部、をさらに備え、出力制御部において、生成したイメージファイルを書き込みデータとして出力することを特徴とする。
上記の印刷ドライバは、印刷設定画面を表示させる機能を有し、データ取得部は、印刷設定画面により選択された１以上のコンテンツデータを取得することを特徴とする。
本発明の制御装置は、上記の印刷ドライバを備え、メディア処理装置と接続されて用いられることを特徴とする。
本発明の印刷データ処理方法は、画像データを編集するための任意のアプリケーションの印刷画面にて選択可能な印刷ドライバの印刷データ処理方法であって、メディアの記録面に書き込むためのデータを取得するデータ取得ステップと、任意のアプリケーションにより生成された画像データに基づいて、メディアのレーベル面に印刷するための印刷データを生成する印刷データ生成ステップと、メディアに対する書き込み処理および印刷処理を行うメディア処理装置に対して出力制御を行う出力制御ステップと、を実行し、出力制御ステップは、印刷画面に表示された印刷指示ボタンの押下をトリガーとして、データ取得ステップで取得したデータに基づく書き込みデータと印刷データ生成ステップで生成した印刷データとを関連付けてメディア処理装置に出力することを特徴とする。
上記の印刷データ処理方法において、データ取得ステップは、１以上のコンテンツデータを取得するためのものであり、所定のフォーマットに基づいて、取得した１以上のコンテンツデータを集約したイメージファイルを生成するイメージファイル生成ステップ、をさらに実行し、出力制御ステップにおいて、生成したイメージファイルを書き込みデータとして出力することを特徴とする。
上記の印刷データ処理方法において、印刷ドライバは、印刷設定画面を表示させる機能を有し、データ取得ステップは、印刷設定画面により選択された１以上のコンテンツデータを取得することを特徴とする。
なお、以下の構成としても良い。
本発明の印刷データ処理方法は、書き込みデータに基づいてメディアの記録面にデータを書き込む書き込み処理と、印刷データに基づいてメディアのレーベル面に印刷する印刷処理と、を行うメディア処理装置を制御するための印刷データ処理方法であって、メディアの発行処理の実行を指示するための発行指示を行う発行指示ステップと、発行指示をトリガーとして、任意のアプリケーションにより生成されたレーベル面に印刷するための画像データを取得する画像データ取得ステップと、画像データに基づいて印刷データを生成する印刷データ生成ステップと、発行指示をトリガーとして、書き込み処理に用いるデータを取得するデータ取得ステップと、メディア処理装置に印刷データおよび書き込みデータを関連付けて出力するデータ出力ステップと、を備えたことを特徴とする。
【０００７】
本発明の印刷ドライバは、書き込みデータに基づいてメディアの記録面にデータを書き込む書き込み処理と、印刷データに基づいてメディアのレーベル面に印刷する印刷処理と、を行うメディア処理装置を制御するための印刷ドライバであって、任意のアプリケーションにより生成されたレーベル面に印刷するための画像データを取得する画像データ取得部と、画像データに基づいて印刷データを生成する印刷データ生成部と、書き込み処理に用いるデータを取得するためのデータ取得部と、メディア処理装置に、印刷データおよび書き込みデータを関連付けて出力する出力制御部と、を備えたことを特徴とする。
【０００８】
これらの構成によれば、印刷ドライバが、書き込みデータを選択し、印刷データと関連付けて出力する機能を有しているため、一般的なソフトウェアで作成したデータをレーベル面に印刷する場合であっても、印刷ドライバが印刷指示を行うことで、メディア処理装置に印刷処理および書き込み処理を一連の動作において実行させることができる。
【０００９】
この場合、データ取得ステップは、１以上のコンテンツデータを取得するためのものであり、所定のフォーマットに基づいて、取得した１以上のコンテンツデータを集約したイメージファイルを生成するイメージファイル生成ステップ、をさらに備え、データ出力ステップにおいて、生成したイメージファイルを書き込みデータとして出力することが好ましい。
【００１０】
この構成によれば、印刷ドライバが、１以上のコンテンツデータからイメージファイルを生成することができるため、予めイメージファイルを生成するための個別のプログラムが必要ない。
【００１１】
本発明の制御装置は、上記の印刷ドライバを備え、メディア処理装置と接続されて用いられることを特徴とする。
【００１２】
この構成によれば、印刷ドライバが印刷指示を行うことで、メディア処理装置に印刷処理および書き込み処理を一連の動作において実行させることが可能な制御装置を実現することができる。
【００１３】
本発明のメディア処理システムは、上記の制御装置と、メディア処理装置と、を備えたことを特徴とする。
【００１４】
この構成によれば、メディア処理装置に対応していない一般的なソフトウェアで作成したデータをレーベル面に印刷する場合であっても、印刷ドライバが印刷指示を行うことで、メディア処理装置に印刷処理および書き込み処理を一連の動作において実行させて、メディアを発行することができる。
【００１５】
本発明のプログラムは、コンピューターに上記の印刷ドライバの制御方法における各ステップを実行させることを特徴とする。
【００１６】
この構成によれば、印刷ドライバが印刷指示を行うことで、メディア処理装置に印刷処理および書き込み処理を一連の動作において実行させるプログラムを提供することができる。
【図面の簡単な説明】
【００１７】
【図１】一実施形態にかかるメディア処理システムの機能構成を示すブロック図である。
【図２】印刷設定画面の一例である。
【図３】メディア作成処理を示したフローチャートである。
【発明を実施するための形態】
【００１８】
以下、添付の図面を参照し、本発明の一実施形態にかかる印刷データ処理方法、印刷ドライバ、制御装置について説明する。図１は、本実施形態のメディア処理システムＳＹの機能構成を示したブロック図である。図示のように、メディア処理システムＳＹは、光学記録媒体（メディア）であるディスクＤに対して書き込み処理およびレーベル面の印刷処理を行うメディア処理装置１と、メディア処理装置１を制御する制御装置２と、で構成されている。なお、制御装置は、ＰＣやサーバ等により構成される。
【００１９】
メディア処理装置１は、ディスクＤの記録面に対して書き込み処理を行う記録部３と、ディスクＤのレーベル面に対して印刷処理を行う印刷部４と、ディスクＤを搬送する搬送部５と、ディスクＤを収容する収容部６と、を備えている。搬送部５は、ディスクＤを把持して水平方向（Ｘ軸方向）に移動させるアーム部と、アーム部を垂直方向（Ｙ軸方向）に移動させるガイドと、ガイドの軸方向に沿って摺動可能でありガイドの軸を中心に回動する駆動部（いずれも図示省略）とを有し、駆動部の駆動に伴ってディスクＤを各部に搬送する。収容部６は、書き込み処理および印刷処理が施されていないディスクＤを収容する未処理ディスク収容部６ａと、書き込み処理および印刷処理が完了しているディスクＤを収容する処理済ディスク収容部６ｂと、を有しており各収容部は、数十枚程度のディスクＤを積載状態で収容する円筒形状の収容ケースを有している（いずれも図示省略）。
【００２０】
ここで、メディア処理装置１のメディア作成処理における動作を簡単に説明する。先ず、ユーザーにより未処理ディスク収容部６ａに書き込み処理および印刷処理が施されていないブランクディスクＤがセットされると、後述の制御装置２からの指令に基づいて、搬送部５は、未処理ディスク収容部６ａに収容されたディスクＤを記録部３に搬送する。記録部３は、搬送されたディスクＤの記録面に対して書き込み処理を行う。記録部３による着込み処理が完了すると、搬送部５は、ディスクＤを記録部３から印刷部４に搬送する。印刷部４は、搬送されたディスクＤのレーベル面に対して印刷処理を行う。なお、印刷部４は、インクジェットヘッドを備え、インクジェット方式でレーベル面の印刷を行う。そして、印刷部４による印刷処理が完了すると、搬送部５は、ディスクＤを印刷部４から処理済ディスク収容部６ｂへ搬送して収容する。全処理が完了したディスクＤは、ユーザーにより処理済ディスク収容部６ｂから取り出される。
【００２１】
続いて、上記のメディア処理装置１を制御する制御装置２の構成について説明する。制御装置２は、表示部１１、コンテンツデータ記憶部１２、編集アプリケーションＡ、編集アプリケーションＢ、および印刷ドライバ１０を備えている。
【００２２】
表示部１１は、ディスクＤに記録する記録内容およびレーベル面に印刷する印刷内容を表示する。また、表示部１１は、後述の編集アプリケーションＡ，Ｂにより編集した画像データを印刷するための印刷画面１８と、各種印刷設定を行うための印刷設定画面１７（図２参照）と、を表示し、印刷に関する各種設定や印刷指示操作を行うための入力機能を果たす。なお、印刷画面１８は、印刷処理および書き込み処理を実行させるための印刷ボタン１９（発行指示ボタン・印刷指示ボタン）、並びに印刷設定画面１８を表示させるための設定ボタン（図示省略）を有している。
【００２３】
コンテンツデータ記憶部１２は、ディスクＤの記録面に書き込むための１以上のコンテンツデータを記憶している。
【００２４】
編集アプリケーションＡ，Ｂは、ディスクＤのレーベル面に印刷するための画像データを編集するためのアプリケーションである。この編集アプリケーションＡ，Ｂは、メディア処理装置に対応した専用のアプリケーションではなく、例えば、一般的に市販されている任意のアプリケーションとする。本実施形態では、２つのアプリケーションを制御装置２に搭載させた構成としたが、搭載させるアプリケーションの数は、任意である。
【００２５】
印刷ドライバ１０は、統合制御部１３、データ変換部２０、記録制御部１４、搬送制御部１５、および印刷制御部１６を有している。
【００２６】
統合制御部１３は、ディスクＤを作成するための一連の処理をスケジューリングし、メディア処理装置１の各部の動作手順を制御する。統合制御部１３は、ディスクの発行指示を行う発行指示部２６を有し、記録制御部１４、搬送制御部１５、および印刷制御部１６に対して発行処理の実行を指示する。このとき、統合制御部１３は、後述のデータ変換部２０によって変換された書き込み処理用のデータと、印刷用のデータと、を関連付け、記録制御部１４および印刷制御部１５に対して、当該各データのメディア処理装置１への出力を指示する。これにより、記録部３、搬送部５、印刷部４が、互いに干渉することなく効率的に処理を実行することができる。
【００２７】
データ変換部２０は、コンテンツデータ記憶部１２に記憶された各データ、および編集アプリケーションＡ，Ｂにより編集された各データを、記録部３および印刷部４の各デバイスに適合するデータ形式に変換する。データ変換部２０は、編集アプリケーションＡ，Ｂから画像データを取得する画像データ取得部２２と、取得した画像データから印刷データを生成する印刷データ生成部２３と、コンテンツデータ記憶部１２から指定された１以上のコンテンツデータを取得するコンテンツデータ取得部２４（データ取得部）と、取得した１以上のコンテンツデータから書き込み処理を行うためのイメージファイルを生成するイメージファイル生成部２５と、を有している。
【００２８】
印刷データ生成部２３は、編集アプリケーションＡ，Ｂによって作成された画像データに基づいて、ディスクＤのレーベル面に印刷するデータをファイル化したＰＲＮファイル（印刷データ）を生成する。
【００２９】
コンテンツデータ取得部２４は、印刷設定画面１７をインターフェースとしてユーザーにより選択された１以上のコンテンツデータを、コンテンツデータ記憶部１２から取得する。コンテンツデータとは、ディスクＤの記録面に書き込むデータの内容を示すコンテンツ本体と、コンテンツ本体の構造、属性などを示すメタデータと、からなる。コンテンツデータは、例えば、ワードやエクセルで作成された各ファイルを指す。
【００３０】
イメージファイル生成部２５は、選択された１以上のコンテンツデータを、所定のフォーマットに基づいて集約し、イメージファイルを生成する。
【００３１】
記録制御部１４は、統合制御部１３のスケジューリングにのっとってメディア処理装置１の記録部３に対してイメージファイルを出力すると共に、記録部３の動作を制御する。搬送制御部１５は、統合制御部１３のスケジューリングにのっとってメディア処理装置１の搬送部５の動作を制御する。印刷制御部１６は、統合制御部１３のスケジューリングにのっとってメディア処理装置１の印刷部４に対して印刷データを出力すると共に、印刷部４の動作を制御する。
【００３２】
なお、「出力制御部」とは、統合制御部１３、記録制御部１４、搬送制御部１５および印刷制御部１６により構成される。
【００３３】
次に、図２を参照して、印刷ドライバ１０の印刷設定画面１７について説明する。印刷設定画面１７は、上部に印刷設定の各種項目を表示する印刷設定表示領域３１と、下部にコンテンツデータを選択するためのコンテンツデータ選択表示領域３２と、を有している。
【００３４】
印刷設定表示領域３１は、メディア処理装置１の印刷部４のインク残量を示すインク残量表示領域３３と、各種設定項目を表示する設定項目表示領域３４と、使用するディスクＤの収容部６の位置およびレーベル面の印刷領域を画像で示した設定表示領域３５と、を有している。インク残量表示領域３３は、インクの種類（Ｃ，Ｍ，Ｙ，Ｋ，ＬＣ，ＬＭ）に応じたインク残量を表示する。
【００３５】
設定項目表示領域３４は、２つの収容部６から、ブランクディスクＤがセットされる収容部６（未処理ディスク収容部６ａ）を選択する供給元選択項目３６と、処理済のディスクＤが排出される収容部６（処理済ディスク収容部６ｂ）を選択する排出先選択項目３７と、印刷するディスクのレーベルの種類を選択するレーベル種類選択項目３８と、印刷モードを設定する印刷モード設定表示領域３９と、レーベルサイズを選択するレーベルサイズ選択項目４０と、印刷するディスクＤの枚数を設定する枚数設定項目４１と、印刷処理後に印刷部４においてインク乾燥させるための時間を設定するインク乾燥時間設定項目４２と、印刷前に印刷プレビューを表示させるか否かを設定する印刷プレビュー設定項目４３と、を有している。
【００３６】
印刷モード設定表示領域３９は、「カラー印刷」および「モノクロ印刷」の選択、印刷品質を優先する「きれい」および印刷速度を優先する「速い」の選択、双方向印刷を行うか否かの選択、および印刷の色合いの設定を行う各種項目が表示される。なお、双方向印刷とは、印刷部４の印刷ヘッドの往復動作において、双方向の動作に伴って印刷を行うことを示す。双方向印刷を行わない場合は、端方向の動作に伴って印刷を行う。
【００３７】
コンテンツデータ選択表示領域３２は、選択されたコンテンツデータからイメージファイルを生成するためのファイルシステムを選択するファイルシステム選択項目４４と、ディスクＤに書き込まれるデータの名前を設定するボリュームラベル入力項目４５と、コンテンツデータを選択するコンテンツデータ選択領域４６と、を有している。ユーザーは、ファイルシステム選択項目４４によって生成するイメージファイルに応じたファイルシステムを選択し、ボリュームラベル入力項目４５に任意のデータ名を入力する。コンテンツデータ選択領域４６は、データツリー表示領域４６ａと、データリスト表示領域４６ｂとを有している。ユーザーは、別ウインドウで表示させた所望のコンテンツデータをこのデータツリー表示領域４６ａまたはデータリスト表示領域４６ｂにドラック＆ドロップすることによって、書き込むコンテンツデータを選択する。ドラック＆ドロップされたコンテンツデータは、データリスト表示領域４６ｂにデータリストとして、データツリー表示領域にデータツリーとして表示される。これにより、書き込まれるコンテンツデータの内容をユーザーは、容易に把握することができる。
【００３８】
そして、印刷設定画面１７は、コンテンツデータ選択表示領域３２の右下部に、印刷指示をするための「ＯＫ」ボタン４７と、印刷をキャンセルするための「キャンセル」ボタン４８と、を有している。
【００３９】
次に、図３のフローチャートを参照し、本実施形態のメディア処理システムＳＹのメディア作成処理（印刷データ処理方法）について説明する。先ず、制御装置２は、ユーザーの操作により任意の画像データに対しての印刷画面１８を表示する（Ｓ０１）。なお、このときユーザーによる印刷設定画面１７の各種設定が終了しているものとする。そして、印刷画面１８の印刷ボタン１９の押下信号を受信すると（Ｓ０２）、記録制御部１４、搬送制御部１５、および印刷制御部１６に対してメディアの発行処理の実行を指示するための発行指示を行う（Ｓ０３）。この発行指示をトリガとして、データ変換部２０により編集アプリケーションＡ，Ｂから画像データを取得して（Ｓ０４）、印刷データを生成する（Ｓ０５）。そして、印刷設定画面１７のコンテンツデータ選択領域４６にドラッグ＆ドロップされたコンテンツデータをコンテンツデータ記憶部１２から取得し（Ｓ０６）、メディア処理装置１において書き込みデータとなるイメージファイルを生成する（Ｓ０７）。そして、生成した印刷データおよびイメージファイルを関連付けてメディア処理装置１に出力する（Ｓ０８）。一方、印刷データおよびイメージファイルを取得したメディア処理装置１は、ディスクＤの記録面にイメージファイルを書き込みデータとして書き込む書き込み処理を実行し（Ｓ０９）、当該ディスクＤのレーベル面に印刷データに基づいて印刷処理を実行する（Ｓ１０）。
【００４０】
なお、制御装置２は、編集アプリケーションＡ，Ｂの印刷画面１８の印刷指示ボタン１９ではなく、印刷設定画面１７の「ＯＫ」ボタン４７の押下信号の受信によって、発行指示を行う構成としてもよい。
【００４１】
このように、上記したメディア処理システムによれば、印刷ドライバ１０が、ディスクＤに書き込むコンテンツデータを取得し、生成されたイメージファイルとレーベル面に印刷する印刷データとを関連付けて出力するため、一連の動作でメディア処理装置１に書き込み処理および印刷処理を実行させることができる。また、印刷ドライバ１０の印刷指示をトリガとして処理を実行させるため、一般的なソフトウェアで作成したデータをレーベル面に印刷する場合であっても、印刷処理および書き込み処理を一連の動作で実行させることができる。
【００４２】
なお、予め１以上のコンテンツデータから生成されたイメージファイルを印刷ドライバ１０が受け取り、受け取ったイメージファイルを印刷データと関連付けて、メディア処理装置に出力する構成としてもよい。なお、この場合、印刷設定画面において、ユーザーは、コンテンツデータではなくイメージファイルを選択する。また、選択したコンテンツデータから、統合制御部１３がイメージファイルを生成する構成としてもよい。
【００４３】
また、上記した、メディア処理システムＳＹの各構成要素をプログラムとして提供することも可能である。また、そのプログラムを記憶媒体（図示省略）に格納して提供することも可能である。記録媒体としては、ＣＤ−ＲＯＭ、フラッシュＲＯＭ、メモリカード（コンパクトフラッシュ（登録商標）、スマートメディア、メモリースティック等）、コンパクトディスク、光磁気ディスク、デジタルバーサタイルディスクおよびフレキシブルディスク等を利用することができる。
【００４４】
また、上述した実施例によらず、メディア処理システムＳＹの装置構成や処理工程等について、本発明の要旨を逸脱しない範囲で、適宜変更も可能である。
【符号の説明】
【００４５】
１：メディア処理装置  ２：制御装置  ３：記録部  ４：印刷部  ５：搬送部  ６：収容部  １０：印刷ドライバ  １７：印刷設定画面  ２２：画像データ取得部  ２３：印刷データ生成部  ２４：コンテンツデータ取得部  ２５：イメージファイル生成部  ２６：印刷指示部  ４６：コンテンツデータ選択領域  Ｄ：ディスク  ＳＹ：メディア処理システム
【図１】
0005779918.tif 000002
【図２】
0005779918.tif 000003
【図３】
0005779918.tif 000004